(57)【要約】【課題】  書物等の数量に拘わらず、書物等の倒れを防止することが可能な収納スタンドを提供する。【解決手段】  収納スタンド１を第１スタンド形成体２と第２スタンド形成体３とを組付けて構成する。第１スタンド形成体２は、第１載置部４と、第１背フレーム５と、これら第１載置部４及び第１背フレーム５が取り付けられた第１側板６とを有する。第２スタンド形成体３は、第２載置部７と、第２背フレーム８と、これら第２載置部７及び第２背フレーム８が取り付けられた第２側板９とを有する。第１載置部４と第２載置部７とを一方が他方を受容する関係で嵌合し、第１背フレーム５と第２背フレーム８とを一方が他方を受容する関係で嵌合し、第１スタンド形成体２と第２スタンド形成体３とを固定手段１１により相対位置を変更可能に固定する。【選択図】        図１
2005304777.tif 000002
【特許請求の範囲】
【請求項１】
書籍等を載置可能な第１載置部と、前記書籍等を受ける第１背フレームと、前記第１載置部及び前記第１背フレームが取り付けられた第１側板とを有する第１スタンド形成体と、この第１スタンド形成体に組み付けられ、書籍等を載置可能な第２載置部と、前記書籍等を受ける第２背フレームと、前記第２載置部及び前記第２背フレームが取り付けられた第２側板とを有する第２スタンド形成体とを備え、前記第１載置部と前記第２載置部とを一方が他方を受容する関係で嵌合すると共に前記第１背フレームと前記第２背フレームとを一方が他方を受容する関係で嵌合し、前記第１スタンド形成体と前記第２スタンド形成体との相対位置を固定手段により変更可能に固定したことを特徴とする収納スタンド。
【請求項２】
前記固定手段は、連続的に相対位置を変更可能とするものであることを特徴とする請求項１記載の収納スタンド。
【請求項３】
前記固定手段は、段階的に相対位置を変更可能とするものであることを特徴とする請求項１記載の収納スタンド。
【請求項４】
前記第１背フレームと前記第２背フレームのうち、一方を他方にスライド可能に外嵌させる筒状に形成し、前記固定手段は、前記一方の背フレームに割りを形成し、この割りの間隔を調節可能とすることで前記第１スタンド形成体と前記第２スタンド形成体との相対位置を固定するものであることを特徴とする請求項１又は２記載の収納スタンド。
【請求項５】
前記第１背フレームと前記第２背フレームのうち、一方を他方にスライド可能に外嵌させる筒状に形成し、前記固定手段は、前記他方の背フレームにスライド方向で間隔を置いて複数の係合溝を形成し、前記一方の背フレームに前記係合溝と着脱可能に係合する係合部材を設けて構成されることを特徴とする請求項１又は３記載の収納スタンド。
【請求項６】
前記第１背フレームと前記第２背フレームのうち、一方を他方に外嵌させる断面コ字状に形成し、前記固定手段は、前記一方の背フレームに内側へ突設するねじ部材を設け、前記他方の背フレームに間隔を置いて複数の通孔を形成し、この通孔に前記ねじ部材を挿通させてナットを螺合させることで構成されるものであることを特徴とする請求項１又は３記載の収納スタンド。
【請求項７】
書籍等を載置可能な第１載置部と、前記第１載置部が取り付けられた第１側板とを有する第１スタンド形成体と、この第１スタンド形成体に組み付けられ、書籍等を載置可能な第２載置部と、前記第２載置部が取り付けられた第２側板とを有する第２スタンド形成体とを備え、前記第１載置部と前記第２載置部とを一方が他方を受容する関係で嵌合し、前記第１スタンド形成体の側板と前記第２スタンド形成体の側板とをパントグラフ機構により連結し、前記第１スタンド形成体と前記第２スタンド形成体との相対位置を固定手段により変更可能に固定したことを特徴とする収納スタンド。
【請求項８】
前記固定手段は、前記パントグラフ機構の動きをロックするものであることを特徴とする請求項７記載の収納スタンド。
【発明の詳細な説明】
【技術分野】
【０００１】
本発明は、机や本棚などに載置され、書籍やＣＤ等を起立状態にて収納するために適した収納スタンドに関する。
【背景技術】
【０００２】
机上の書物等を収納するために机上や本棚等にスタンドを設置する場合が多いが、このようなスタンドとしては、従来、複数のスタンド形成部材を連結して構成されるものが提案されている。例えば、特許文献１に示されるように、略平行四辺形状の第１のベースと、この第１のベースの傾斜片に対応する斜辺を備えてブックスタンドの両側端を構成する第２及び第３のベースと、各ベースに相互に連結された状態で略平行となる起立仕切部材とを設けるようにしたものや（特許文献１）、略Ｌ字状の第１及び第２のスタンド形成部材を相互に突き合せ、それぞれのスタンド形成部材の突き合わせる先端部に連結部を形成し、これらの連結部を相互に反転した形状とし、各連結部を突き合わせた状態で同一平面上に連なって相互に係合可能に連結するようにしたもの（特許文献２）などが知られている。
【０００３】
【特許文献１】実公平５−３５７２４号公報
【特許文献２】特開平１１−３４６８４５
【発明の開示】
【発明が解決しようとする課題】
【０００４】
しかしながら、上述した構成において、書籍を載置する領域は、特許文献１に係る構成によれば、起立仕切部材の間隔によって画定され、また、特許文献２に係る構成によれば、それぞれのスタンド形成体の立設面（第２の面）の間隔によって画定されるようになっており、載置領域は固定されたもので、載置される書物が十分にないと書物が倒れて見苦しくなる等の不都合がある。
【０００５】
本発明は、上述した不都合に鑑みてなされたものであり、書物等の数量に拘わらず、書物等の倒れを防止することが可能な収納スタンドを提供することを主たる課題としている。
【課題を解決するための手段】
【０００６】
従来の収納スタンドにおいて書物を安定して立てて置くことができないのは、収納スタンドの側板と書物との間、或いは仕切部材と書物との間に、書物の変位が可能となるスペースが形成され、書物が倒れてしまう変位の余地があるからであり、且つ、書物の重量が横方向にかかるときに、これを支える有効な構造となっていないためである。そこで、本発明においては、このような不安定の原因となる変位可能なスペースを予め除去することで本の倒れを防止しようとするものである。
【０００７】
即ち、本発明に係る収納スタンドは、書籍等を載置可能な第１載置部と、前記書籍等を受ける第１背フレームと、これら第１載置部及び第１背フレームが取り付けられた第１側板とを有する第１スタンド形成体と、この第１スタンド形成体に組み付けられ、書籍等を載置可能な第２載置部と、前記書籍等を受ける第２背フレームと、これら第２載置部及び第２背フレームが取り付けられた第２側板とを有する第２スタンド形成体とを備え、前記第１載置部と前記第２載置部とを一方が他方を受容する関係で嵌合すると共に前記第１背フレームと前記第２背フレームとを一方が他方を受容する関係で嵌合し、前記第１スタンド形成体と前記第２スタンド形成体とを固定手段により相対位置を変更可能に固定したことを特徴としている（請求項１）。
【０００８】
したがって、載置部に置かれる書物の量に応じて第１載置部と第２載置部との嵌合量、及び、第１背フレームと第２背フレームとの嵌合量を調節して、第１スタンド形成体の第１側板と第２スタンド形成体の第２側板との距離を調節し、固定手段により第１スタンド形成体と第２スタンド形成体との相対位置を固定するようにしたので、書物と側板との間の隙間を有効に少なくすることが可能となり、また、書物の重量が横方向に作用しても書物を適切に保持することが可能となり、書物が倒れるほどの変位の余地を無くすことが可能となる。
【０００９】
ここで、固定手段は、連続的に相対位置を変更可能とするものであっても（請求項２）、段階的に相対位置を変更可能とするものであってもよい（請求項３）。
【００１０】
例えば、前者の構成としては、第１背フレームと第２背フレームのうち、一方を他方にスライド可能に外嵌させる筒状に形成し、固定手段を、一方の背フレームに割りを形成し、この割りの間隔を調節可能とすることで第１スタンド形成体と第２スタンド形成体との相対位置を固定するようにしたもの等が考えられる（請求項４）。
【００１１】
また、後者の構成としては、第１背フレームと第２背フレームのうち、一方を他方にスライド可能に外嵌させる筒状に形成し、固定手段を、他方の背フレームに間隔を置いて複数の係合溝を形成し、一方の背フレームに係合溝と着脱可能に係合する係合部材を設けて構成するものや（請求項５）、第１背フレームと第２背フレームのうち、一方を他方に外嵌させる断面コ字状に形成し、固定手段を、一方の背フレームに内側へ突設するねじ部材を設け、他方の背フレームに間隔を置いて複数の通孔を形成し、この通孔にねじ部材を挿通させてナットを螺合させることで構成するもの等が考えられる（請求項６）。
【００１２】
さらに、上述の課題を達成するために、この発明に係る収納スタンドは、書籍等を載置可能な第１載置部と、前記第１載置部が取り付けられた第１側板とを有する第１スタンド形成体と、この第１スタンド形成体に組み付けられ、書籍等を載置可能な第２載置部と、前記第２載置部が取り付けられた第２側板とを有する第２スタンド形成体とを備え、前記第１載置部と前記第２載置部とを一方が他方を受容する関係で嵌合し、前記第１スタンド形成体の側板と前記第２スタンド形成体の側板とをパントグラフ機構により連結し、前記第１スタンド形成体と前記第２スタンド形成体との相対位置を固定手段により変更可能に固定する構成としてもよい（請求項７）。ここで、固定手段は、パントグラフ機構の動きをロックする構成などを採用するとよい（請求項８）。
【発明の効果】
【００１３】
以上述べたように、この発明によれば、第１スタンド形成体と第２スタンド形成体と有して構成される収納スタンドにおいて、第１載置部と第２載置部とを一方が他方を受容する関係で嵌合すると共に第１背フレームと第２背フレームとを一方が他方を受容する関係で嵌合し、第１スタンド形成体と第２スタンド形成体との相対位置を固定手段により変更可能に固定するようにし、或いは、第１載置部と第２載置部とを一方が他方を受容する関係で嵌合すると共に第１スタンド形成体の側板と第２スタンド形成体の側板とをパントグラフ機構により連結し、第１スタンド形成体と第２スタンド形成体との相対位置を固定手段により変更可能に固定するようにしたので、書物等の量に合わせて、書物等と側板との間に大きな隙間が形成されないように側板間の距離を調節することが可能となる。このため、書物等が倒れるほどの変位の余地を無くすことが可能となり、書物等の数量に拘わらず、書物等の倒れを防止することが可能な収納スタンドを提供することが可能となる。
【発明を実施するための最良の形態】
【００１４】
以下、この発明の最良の実施形態を添付図面を参照しながら説明する。
【００１５】
図１において、本発明に係る収納スタンド１をブックスタンドとして用いた場合の構成例が示されている。この収納スタンド１は、合成樹脂等によって形成された第１スタンド形成体２と第２スタンド形成体３とを相互に組み付けて構成されているもので、第１スタンド形成体２は、書籍を載置可能な第１載置部４と、前記書籍を受ける第１背フレーム５と、前記第１載置部４及び前記第１背フレーム５が一体的に取り付けられた第１側板６とを有して構成されている。また、第２スタンド形成体３は、書籍を載置可能な第２載置部７と、前記書籍を受ける第２背フレーム８と、前記第２載置部７及び前記第２背フレーム８が一体的に取り付けられた第２側板９とを有して構成されている。
【００１６】
第１スタンド形成体２の第１載置部４と第２スタンド形成体３の第２載置部７とは、一方が他方を受容する関係で嵌合し、また、第１スタンド形成体２の第１背フレーム５と第２スタンド形成体３の第２背フレーム８とは、一方が他方を受容する関係で嵌合するようになっている。
【００１７】
具体的には、第１載置部４を横長の収容部が内側に形成されるように下面を開放したあり溝状に形成し、第２載置部７を第１載置部４の収容部に摺動自在に挿入し得る横長の矩形断面に形成するようにしたもので、第１載置部４を第２載置部７にスライド可能に外嵌させるようにしている。また、第１背フレーム５を縦長の矩形断面を有する筒状に形成し、第２背フレーム８を第１背フレーム５に摺動自在に挿入し得る縦長の矩形断面に形成するようにしたもので、第１背フレーム５を第２背フレーム８にスライド可能に外嵌させるようにしている。これら載置部４，７と背フレーム５，８は、側板６，９と一体的に形成され、側板を移動させることで同時に移動するようになっている。
【００１８】
そして、第１スタンド形成体２と第２スタンド形成体３との相対位置は、以下述べる固定手段１１により変更可能に固定されている。この固定手段１１は、図２乃至図５に示されるように、第１背フレーム５の背面側の側面５ａに開放端から軸方向に割り１０を形成し、この割り１０の間隔を調節することで背フレームの合計長さを調節し、第１スタンド形成体２と第２スタンド形成体３との相対位置を固定するようにしている。
【００１９】
具体的には、第１背フレーム５の割り１０の両脇に側面５ａから突設する隆起部１２，１３を形成し、この隆起部１２，１３の対峙する面を側面５ａに対して垂直方向に立設させると共に、隆起部１２，１３の外側にテーパ面１２ａ，１３ａを形成し、この隆起部１２，１３のテーパ面１２ａ，１３ａに側面５ａの沿って外側へ突出する紡錘形の回転芯１２ｂ，１３ｂを設け、この回転芯１２ｂ，１３ｂにクランプレバー１４を回動可能に係止させるようにしている。
【００２０】
クランプレバー１４は、所定の長さの鋼鉄線を両端部が近接するように二つ折にしてレバー状に形成されているもので、握持可能な取っ手部１４ａと、これに続く両端部に形成されて前記回転芯１２ｂ、１３ｂに係止可能な環状部１４ｂ，１４ｃと、この環状部１４ｂ，１４ｃから突設された突起部１４ｄ，１４ｅとを有して構成されている。ここで、隆起部１２，１３のテーパ面１２ａ，１３ａは、側面５ａと垂直となる面に対して約４５度に形成され、また、クランプレバー１４の突起部１４ｄ，１４ｅは、取っ手部１４ａの延設方向に対して約９０度異なる方向に突出し、側面５ａと垂直となる面に対して約３８度となるように形成されている。このため、隆起部１２，１３の回転芯１２ｂ，１３ｂにクランプレバー１４の環状部１４ｂ，１４ｃを係止させ、クランプレバー１４の取っ手部１４ａを立設壁面５ａと垂直となるように起こした状態においては、突起部１４ｄ，１４ｅが隆起部１２，１３のテーパ面１２ａ，１３ａから離れて、隆起部１２，１３を付勢しなくなる。これに対して、クランプレバー１４を回転芯１２ｂ，１３ｂを中心に回動させ、取っ手部１４ａを側面５ａと平行になるように倒していくと、突起部１４ｄ、１４ｅが隆起部１２，１３のテーパ面１２ａ，１３ａに押し付けられ、隆起部１２，１３の間隔（割り１０の幅）を狭める方向に付勢力が与えられる。
【００２１】
したがって、クラクレバー１４の取っ手部１４ａを側面５ａと垂直となるように起すと、突起部１４ｄ、１４ｅのテーパ面１２ａ，１３ａに作用する付勢力が解かれるので、第１背フレーム５が第２背フレーム８を締め付けなくなり、第１背フレーム５と第２背フレーム８は軸方向に相対的に移動可能となる。このため、第１スタンド形成体２と第２スタンド形成体３は第１背フレーム５と第２背フレーム８との嵌合量、及び、第１載置部４と第２載置部７との嵌合量を変更して、第１スタンド形成体２の第１側板６と第２スタンド形成体３の第２測板９との距離を調節することができるようになり、載置される書物の量に合わせて側板間の距離を変更することが可能となる。
【００２２】
そして、載置される書物の量に合わせて側板間の距離が調節された後に、クランプレバー１４の取っ手部１４ａを側面５ａと平行となるように倒すと、それぞれの隆起部１２，１３がクランプレバー１４の突起部１４ｄ，１４ｅにより互いに近接する方向に付勢され、隆起部間の間隔（割り１０の幅）が小さくなり、第２背フレーム８が第１背フレーム５によって締め付けられ、第１背フレーム５と第２背フレーム８との相対位置が固定される。
【００２３】
したがって、上述の構成によれば、載置される書物の量に応じて第１スタンド形成体２と第２スタンド形成体３との相対位置を連続的に可変させて固定することが可能となり、書物と側板との間の隙間を有効に少なくして書物が倒れるほどの変位の余地を無くすことが可能となり、また、第１スタンド形成体２と第２スタンド形成体３との相対位置が固定手段１１により固定されるので、仮に側板６，９が書物から横方向の荷重を受けても、側板間が広がる方向に横滑りする可能性がなくなる。このため、書物の数量に拘わらず、書物の倒れを防止できる収納スタンド１を提供することが可能となる。
【００２４】
以上の構成は、固定手段１１として、第１スタンド形成体２と第２スタンド形成体３との固定位置を連続的に変更することを可能とする構成であったが、段階的に相対位置を変更させるようにしてもよい。
【００２５】
このような構成としては、例えば、図６及び図７に示されるように、第２背フレーム８の上面８ａにスライド方向で間隔を置いて複数の係合溝２０を形成し、第１背フレーム５に前記係合溝２０に着脱可能に係合する係合部材２１を設けるようにしてもよい。より具体的には、第１背フレーム５の上面５ｂに係合溝２０の移動軌跡に臨むように通孔２２を形成し、この通孔２２に続いてΩ状のバネ部材２３を載置する段差部２４を形成し、この段差部２４にバネ部材２３を載置させるようにしている。段差部２４には、両脇にバネ部材２３の脱落を防止する脱落防止突部２５が形成され、バネ部材２３は、その中央先端部が脱落防止突部２５間から通孔２２に突出し、この状態が保持されるように通孔２３に枠体２６を嵌合し、枠体２６と一体をなして延設されたカバー部２６ａにより段差部２４を閉塞するようにしている。また、枠体２６のカバー部材２６ａの下方にスリット２６ｂを形成し、このスリット２６ｂを介して、段差部２４から通孔２２に突出するバネ部材２３を挿通させるようにしている。
【００２６】
これに対して、係合部材２１を、両側に突設された支軸２１ａと、この支軸２１ａに対して垂直方向に延設された押圧部２１ｂと、支軸２１ａに対して前記押圧部２１ｂと反対側に延設された楔状の係合片２１ｃとによって構成し、枠体２６の両側壁に形成された保持孔２６ｃに係合部材２１の支軸２１ａを軸支させ、係合部材２６の押圧部２１ｂをバネ部材２３に当接させ、バネ部材２３のばね力により押圧部２１ｂを付勢することで係合片２１ｃを係合溝２０に噛合させることができるようになっている。
【００２７】
尚、それぞれの係合溝２０は、第２背フレーム８を第１背フレーム５に挿入する方向に対して、挿入前方から後方にかけて徐々に溝の深さを浅くする断面楔状に形成され、係合部材２１の係合片２１ｃは、この形状に合わせて断面楔状に形成されている。
【００２８】
このような構成において、第１スタンド形成体２と第２スタンド形成体３との相対位置を変更するには、次のような操作を行なう。先ず、第１スタンド形成体２と第２スタンド形成体３とを各々の側板間の距離を狭める方向に動かす場合には、それぞれの側板６，９を近接方向に手で押圧する。すると、係合部材２１の係合片２１ｃが係合溝２０の形状に合わせて上下し、係合片２１ｃが隣の係合溝２０に順次移動し、係合部材２１を格別に操作することなく、第１スタンド形成体２と第２スタンド形成体３との相対位置を変更することが可能となる。このため、第１載置部４と第２載置部７との嵌合量、及び、第１背フレーム５と第２背フレーム８との嵌合量を変更させることが可能となり、載置される書物の量に応じて側板間の距離を変更することが可能となる。
【００２９】
これに対して、第１スタンド形成体２と第２スタンド形成体３とを各々の側板間の距離を広げる方向に動かす場合には、係合部材２１の係合片２１ｃは係合溝２０に係合されてスライド方向の変位が妨げられているので、係合部材２１の押圧部２１ｂを指で押してバネ部材２３のバネ力に抗して押圧部２１ｂを通孔２２内へ押し込む。すると、バネ部材２３は弾性変形して段差部２４に入り込み、係合部材２１が支軸２１ａを中心に回転して係合片２１ｃが係合溝２０から離れる。そして、この状態で第１スタンド形成体２と第２スタンド形成体３とを側板間を広げる方向にスライドさせることで第１載置部４と第２載置部７との嵌合量、及び、第１背フレーム５と第２背フレーム８との嵌合量を変更することが可能となり、側板間の距離を変更することが可能となる。
【００３０】
このため、載置される書物の量に合わせて、もっとも近い係合溝２０に係合部材２１を係合させることで、書物と側板６，９との間の隙間を無くすこと、又は、小さくすることが可能となり、書物が倒れるほどの変位の余地を無くすことが可能となる。また、仮に側板６，９が書物から横方向の荷重を受けても、係合部材２１は係合溝２０に係合されているので、側板間が広がる方向に横滑りする可能性がなくなる。したがって、上述の構成によれば、載置される書物の量に応じて第１スタンド形成体２と第２スタンド形成体３との相対位置を調節することで、書物の数量に拘わらず、書物の倒れを防止することが可能な収納スタンドを提供することが可能となる。
【００３１】
図８及び図９に、段階的に固定位置を変更させる他の構成例が示されている。この構成例においては、第２背フレーム８が断面矩形状に形成され、第１背フレーム５が第２背フレーム８に外嵌する断面コ字状に形成されている。また、第１背フレーム５の側面には、内側へ突設する雄螺子からなるねじ部材３０が固設され、第２背フレーム８には、所定の間隔をあけて軸方向に配列された複数の通孔３１が形成されている。そして、螺子部材３０を挿通させる通孔３１を選択し、その通孔３１にねじ部材３０を挿通させて通孔３１から突出した部分にナット３２を螺合させることで、第１スタンド形成体２と第２スタンド形成体３との相対位置を変更可能に固定するようにしている。
【００３２】
したがって、このような構成においても、載置される書物の量に合わせて、もっとも近い通孔３１に螺子部材３０を挿通させることで、書物と側板との間の隙間を無くすこと、又は小さくすることが可能となり、書物が倒れるほどの変位の余地を無くすことが可能となり、また、仮に側板が書物から横方向の荷重を受けても、側板間が広がる方向に横滑りする可能性がなくなる。したがって、上述の構成によれば、載置される書物の量に応じて第１スタンド形成体と第２スタンド形成体との相対位置を調節することで、書物の数量に拘わらず、書物の倒れを防止することが可能な収納スタンドを提供することが可能となる。
【００３３】
尚、上述した構成によれば、それぞれのスタンド形成体２，３はもとより、第１スタンド形成体２と第２スタンド形成体３とを側板間の距離の短くして組み付けることで、ブックエンドとして用いることも可能である。
【００３４】
図１０に本発明に係る収納スタンド１の他の構成例が示されている。この収納スタンド１は、合成樹脂等によって形成された第１スタンド形成体２と第２スタンド形成体３とを相互に組み付けて構成されているもので、第１スタンド形成体２は、書籍を載置可能な第１載置部４と、この第１載置部４が一体的に取り付けられた第１側板６とを有して構成され、第２スタンド形成体３は、書籍を載置可能な第２載置部７と、この第２載置部７が一体的に取り付けられた第２側板９とを有して構成されている。
【００３５】
第１スタンド形成体２の第１載置部４と第２スタンド形成体３の第２載置部７とは、一方が他方を受容する関係で嵌合している点で前記構成例と同様であり、載置部４，７は、側板を移動させることで同時に移動するようになっている。
【００３６】
そして、第１スタンド形成体２の側板６と第２スタンド形成体３の側板９は、屈曲可能にく字状に形成された一対のリンク（第１リンク４１及び第２リンク４２）を組み合わせて構成されたパントグラフ機構４３により連結されている。第１リンク４１は、２つのリンク部材４１ａ，４１ｂをピボット５０により枢着し、一方のリンク部材４１ａの先端部を側板６の下部に回動自在に連結すると共に他方のリンク部材４１ｂの先端部を側板９の下部に回動自在に連結し、両リンク部材４１ａ，４１ｂを連結するピボット５０の部分が側板６，９との連結部分よりも上方になるように屈曲して取付けられている。また、第２リンク４２は、２つのリンク部材４２ａ，４２ｂをピボット５１により枢着し、一方のリンク部材４２ａの先端部を側板６の上部に回動自在に連結すると共に他方のリンク部材４２ｂの先端部を側板９の上部に回動自在に連結し、両リンク部材４２ａ，４２ｂを連結するピボット５１の部分が側板６，９との連結部分よりも下方になるように屈曲して取付けられている。
【００３７】
第１リンク４１と第２リンク４２とは、例えば、交差する部分において、第２リンクのリンク部材４２ｂに長孔４５を形成し、第１リンク４１のリンク部材４１ｂに前記長孔４５に移動可能に挿入する雄螺子４６を形成し、この雄螺子４６の長孔４５から突出した部分にナット４７を螺合することで、リンク部材４１ｂとリンク部材４２ｂとを締め付け、この締め付けた状態を保持できるようにしている。この長孔４５に挿入する雄螺子４６とナット４７により、パントグラフ機構４３の動きをロックし、これにより第１スタンド形成体２と第２スタンド形成体３との相対位置を変更可能に固定する固定手段１１が構成されている。尚、パントグラフ機構４３により収納スタンド１の背フレームが構成されるので、様々な設置箇所を考慮すると、長孔４５からの雄螺子４６の突出量を小さくし、ナット４７を指で回しやすい平ナットなどを用いることが好ましい。
【００３８】
このような構成においては、ナット４７を緩めて第２リンク４２の一方のリンク部材４２ａと他方のリンク部材４２ｂとの締め付けを解くと、これらリンク部材４２ａ，４２ｂの相対的な回転が許容されるので、パントグラフ機構４３の伸縮が可能となり、第１スタンド形成体２と第２スタンド形成体３は載置板４，７の延出方向に相対的に移動可能となる。このため、第１スタンド形成体２と第２スタンド形成体３は第１載置部４と第２載置部７との嵌合量、およびパントグラフ機構４３の伸縮量を変更することで第１スタンド形成体２の第１側板６と第２スタンド形成体３の第２測板９との距離を調節することが可能となり、載置される書物の量に合わせて側板間の距離を変更することが可能となる。
【００３９】
そして、載置される書物の量に合わせて側板間の距離が調節された後に、固定手段１１のナット４７を締め付けると、一方のリンク部材４２ａと他方のリンク部材４２ｂとが締め付けられ、この状態が保持されるので、パントグラフ機構４３は伸縮できなくなり、第１スタンド形成体２と第２スタンド形成体３の相対位置が固定される。
【００４０】
したがって、上述の構成によれば、載置される書物の量に応じて第１スタンド形成体２と第２スタンド形成体３との相対位置を連続的に可変させて固定することが可能となり、書物と側板との間の隙間を有効に少なくして書物が倒れるほどの変位の余地を無くすことが可能となり、また、第１スタンド形成体２と第２スタンド形成体３との相対位置が固定手段１１により固定されるので、仮に側板６，９が書物から横方向の荷重を受けても、側板間が広がる方向に横滑りする可能性がなくなる。このため、書物の数量に拘わらず、書物の倒れを防止できる収納スタンド１を提供することが可能となる。
【００４１】
尚、上述の種々の構成例においては、収納スタンド１を書物を収容するブックスタンドとして用いた例を示したが、立設して収容することが望ましいＣＤなどを収納するスタンドとしても適用することは可能である。
【図面の簡単な説明】
【００４２】
【図１】図１は、本発明に係る収納スタンドの構成例を示す斜視図である。
【図２】図２は、図１の収納スタンドに設けられる固定手段の構成例を示す図であり、図２（ａ）は固定手段による固定を解除した状態、図２（ｂ）は固定手段による固定状態をそれぞれ示す。
【図３】図３は、図２の固定手段を第１背フレームの開口端側から見た図であり、図３（ａ）は固定手段による固定を解除した状態、図３（ｂ）は固定手段による固定状態をそれぞれ示す。
【図４】図４は、図２に係る固定手段を分解した斜視図である。
【図５】図５は、図２に係る固定手段を分解した図であり、図５（ａ）はその正面図、図５（ｂ）は図５（ａ）を下方から見た図、図５（ｃ）は図５（ａ）を第１背フレームの開口端側から見た図である。
【図６】図６は、図１の収納スタンドに設けられる固定手段の他の構成例を示す図であり、図６（ａ）を上方から見た図、、図６（ｂ）は固定手段を側方から見た断面図である。
【図７】図７は、図６に係る固定手段を分解した斜視図である。
【図８】図８は、図１の収納スタンドに設けられる固定手段のさらに他の構成例を示す図であり、図８（ａ）をその斜視図、図８（ｂ）はその正面図である。
【図９】図９は、図８に係る固定手段を分解した斜視図である。
【図１０】図１０は、本発明に係る収納スタンドの他の構成例を示す斜視図である。
【図１１】図１１は、図１０の収納スタンドの使用状態を示す斜視図である。
【符号の説明】
【００４３】
１  収納スタンド
２  第１スタンド形成体
３  第２スタンド形成体
４  第１載置部
５  第１背フレーム
６  第１側板
７  第２載置部
８  第２背フレーム
９  第２側板
１０  割り
１１  固定手段
２０  係合溝
２１  係合部材
３０  ねじ部材
３１  通孔
３２  ナット
４１  第１リンク
４２  第２リンク
４３  パントグラフ機構
【図１】
2005304777.tif 000003
【図２】
2005304777.tif 000004
【図３】
2005304777.tif 000005
【図４】
2005304777.tif 000006
【図５】
2005304777.tif 000007
【図６】
2005304777.tif 000008
【図７】
2005304777.tif 000009
【図８】
2005304777.tif 000010
【図９】
2005304777.tif 000011
【図１０】
2005304777.tif 000012
【図１１】
2005304777.tif 000013